(57)【要約】【課題】電子機器の設置時に防水作業を行う必要がなく、高い作業性が得られると共に美観上においても優れた電子機器ケースの防水構造を提供する。【解決手段】機器ケース３１は、ケース本体３２の前面開口部を開閉するケースカバー３３を備える。ケース本体３２は、上部に内部ユニット室４４、下部に接栓接続室４５を備え、内部ユニット室４４に内部ユニット４６を配設し、接栓接続室４５に入出力用接栓４７ａ〜４７ｃを設ける。ケース本体３２の底板４２にケーブル挿通用の溝４８ａ〜４８ｃを設け、ケースカバー３３の底板５３にケーブル挿通用の溝５４ａ〜５４ｃを設ける。ケース本体３２の底板４２の上部及びケースカバー３３の底板５３の上部に軟質系材料の防水機能部品５５ａ、５５ｂを装着し、底板４２、５３のケーブル挿通用の溝４８ａ〜４８ｃ、５４ａ〜５４ｃ内に挿入される同軸ケーブル５１ａ〜５１ｃに対して防水機能を持たせる。【選択図】      図１
2010114303.tif 000002
【特許請求の範囲】
【請求項１】
機器ユニットが収納される前面開口のケース本体と、前記ケース本体の前面に開閉可能に設けられるケースカバーと、前記ケース本体内に設けられ、前記機器ユニットに接続される複数の入出力用接栓と、前記ケース本体の底板に設けられる複数の第１のケーブル挿通用溝と、前記ケースカバーの底板に前記第１のケーブル挿通用溝と対応して設けられる第２のケーブル挿通用溝と、前記ケース本体の第１のケーブル挿通用溝部分に装着される軟質系材料からなる第１の防水機能部品と、前記ケースカバーの第２のケーブル挿通用溝部分に装着される軟質系材料からなる第２の防水機能部品とを具備し、
前記ケースカバーを閉じた際に前記第１の防水機能部品及び前記第２の防水機能部品により、前記ケース本体の第１のケーブル挿通用溝及び前記ケースカバーの第２のケーブル挿通用溝内に挿通される同軸ケーブルに対して防水機能を持たせたことを特徴とする電子機器ケースの防水構造。
【発明の詳細な説明】
【技術分野】
【０００１】
本発明は、屋外で使用される混合器や分配・分波器等の電子機器において、内部ユニット及び配線ケーブル部に対する防水機能を備えた電子機器ケースの防水構造に関する。
【背景技術】
【０００２】
屋外で使用される電子機器、例えばアンテナの支柱に取付けられて使用されるブースタや混合器、分配・分波器等では、アンテナの支柱に取付けた後においても調整作業を行うために、ケース本体に対してケースカバーを開閉可能に構成している（例えば、特許文献１参照。）。
【０００３】
上記屋外で使用される電子機器は防水構造が要求されるが、従来では機器ケースを内部ユニットに対してのみ防水構造としており、配線ケーブル部には別途、防水用キャップや自己融着テープなどを用いて防水処理を施している。
【０００４】
図４（ａ）、（ｂ）は防水用キャップを用いて配線ケーブル部に防水処理を施す場合の従来の電子機器の構成を示す斜視図である。
【０００５】
図４において、１１は機器ケースで、ケース本体１２とケースカバー１３により構成され、内部ユニットに対して防水構造となっている。ケース本体１２は前面を開口しており、この開口部を覆うようにケースカバー１３が設けられる。ケースカバー１３は、ケース本体１２の側部上方にヒンジ１４を介して取付けられ、ケース本体１２の前面開口部を開閉できるように設けられる。ケース本体１２は、天板１５より底板１６の幅が広く形成され、前面開口部が斜めに形成される。上記ケース本体１２内には、混合器や分配・分波器を構成する内部ユニット１７が収納される。
【０００６】
上記ケース本体１２の背面にはマスト取付金具１８が装着され、アンテナ支柱１９に取付けられるようになっている。
【０００７】
また、ケース本体１２の底板１６には、信号入出力用の接栓２１ａ〜２１ｃが装着され、上記内部ユニット１７に接続される。
【０００８】
そして、上記接栓２１ａ〜２１ｃには、同軸ケーブル２２ａ〜２２ｃが装着される。同軸ケーブル２２ａ〜２２ｃの先端には接栓２３ａ〜２３ｃが装着され、上記機器側の接栓２１ａ〜２１ｃに着脱できるようになっている。この場合、同軸ケーブル２２ａ〜２２ｃの先端側には予め防水用キャップ２４ａ〜２４ｃを嵌入している。この防水用キャップ２４ａ〜２４ｃは、上端側が接栓２３ａ〜２３ｃの外径に合わせて円筒状に形成され、下端側が同軸ケーブル２２ａ〜２２ｃの径に合わせて順次径小となるようにテーパ状に形成されている。
【０００９】
上記のように構成された電子機器に同軸ケーブル２２ａ〜２２ｃを接続する場合、ケースカバー１３を開いた状態で、先ず、同軸ケーブル２２ａ〜２２ｃの先端に設けた接栓２３ａ〜２３ｃを機器側の接栓２１ａ〜２１ｃに螺着し、次いで図４（ｂ）に示すように防水用キャップ２４ａ〜２４ｃを被せる。その後、防水用キャップ２４ａ〜２４ｃの下側のテーパ部及び同軸ケーブル２２ａ〜２２ｃに固定テープ２５ａ〜２５ｃを巻き付けて防水用キャップ２４ａ〜２４ｃを同軸ケーブル２２ａ〜２２ｃに固定し、ケースカバー１３を閉じる。
【００１０】
図５（ａ）、（ｂ）は、自己融着テープを用いて配線ケーブル部に防水処理を施す場合の例を示したもので、電子機器の構成は図４に示したものと同じであるので、同一部分には同一符号を付して詳細な説明は省略する。
【００１１】
この図５に示す例では、図４に示した防水用キャップ２４ａ〜２４ｃを使用せず、同軸ケーブル２２ａ〜２２ｃの先端に設けた接栓２３ａ〜２３ｃを機器側の接栓２１ａ〜２１ｃに螺着した後、接栓２３ａ〜２３ｃの外側及び同軸ケーブル２２ａ〜２２ｃに自己融着テープ２６ａ〜２６ｃを巻き付けて融着し、接栓２３ａ〜２３ｃ部分を防水処理している。
【特許文献１】特開平９−２７６８７号公報
【発明の開示】
【発明が解決しようとする課題】
【００１２】
上記のように従来の電子機器ケースの防水構造では、電子機器の設置時に防水用キャップ２４ａ〜２４ｃを用いるか、あるいは自己融着テープ２６ａ〜２６ｃ等を用いて防水処理を行うなど二次作業を行う必要があり、作業性が悪いという問題があった。
【００１３】
また、また、防水用キャップ２４ａ〜２４ｃなど別部品を用いる場合は、使用するケーブルのサイズ（太さ）によって別途加工が必要になる。
【００１４】
また、配線ケーブル部を防水処理することにより、防水用キャップ２４ａ〜２４ｃや自己融着テープ２６ａ〜２６ｃ等が外部に露出するため、美観上の点でも問題となる。
【００１５】
本発明は上記の課題を解決するためになされたもので、電子機器の設置時に防水用キャップ等の防水用部品の取付けや自己融着テープ等を巻き付けるなどの二次作業を行う必要がなく作業に優れ、且つ、防水用キャップや自己融着テープ等が外部に露出することなく美観上においても優れた電子機器ケースの防水構造を提供することを目的とする。
【課題を解決するための手段】
【００１６】
本発明は、機器ユニットが収納される前面開口のケース本体と、前記ケース本体の前面に開閉可能に設けられるケースカバーと、前記ケース本体内に設けられ、前記機器ユニットに接続される複数の入出力用接栓と、前記ケース本体の底板に設けられる複数の第１のケーブル挿通用溝と、前記ケースカバーの底板に前記第１のケーブル挿通用溝と対応して設けられる第２のケーブル挿通用溝と、前記ケース本体の第１のケーブル挿通用溝部分に装着される軟質系材料からなる第１の防水機能部品と、前記ケースカバーの第２のケーブル挿通用溝部分に装着される軟質系材料からなる第２の防水機能部品とを具備し、前記ケースカバーを閉じた際に前記第１の防水機能部品及び前記第２の防水機能部品により、前記ケース本体の第１のケーブル挿通用溝及び前記ケースカバーの第２のケーブル挿通用溝内に挿通される同軸ケーブルに対して防水機能を持たせたことを特徴とする。
【発明の効果】
【００１７】
本発明によれば、ケースの開閉機能を維持したまま同軸ケーブルに対する防水機能を持たせることができ、電子機器の設置時に防水用キャップや自己融着テープなどの防水用部品を用いて防水処理を行う必要がなく高い作業性が得られると共に、防水用キャップや自己融着テープなどが外部に露出する恐れは全くなく美観上においても優れている。
【００１８】
また、防水機能部品は、軟質系材料を用いて構成しているので、防水機能部品を加工することなく各種サイズの同軸ケーブルに対応することができる。
【発明を実施するための最良の形態】
【００１９】
以下、図面を参照して本発明の一実施形態を説明する。
【００２０】
図１は、本発明の一実施形態に係る電子機器ケースの防水構造を示し、（ａ）はケースカバーを開いた状態を示す斜視図、（ｂ）は電子機器に同軸ケーブルを装着した状態を示す斜視図、（ｃ）は同軸ケーブルを装着した後、ケースカバーを閉じた状態を示す斜視図である。図２は電子機器に同軸ケーブルを装着した状態において、要部を断面して示す斜視図である。
【００２１】
図１において、３１は機器ケースで、ケース本体３２とケースカバー３３により構成され、内部ユニットに対して防水構造となっている。ケース本体３２は前面を開口しており、この開口部を覆うようにケースカバー３３が設けられる。ケースカバー３３は、ケース本体３２の側部上方にヒンジ３４を介して取付けられ、ケース本体３２の前面開口部を開閉できるように設けられる。
【００２２】
ケース本体３２には、左右に第１の側壁３５ａ、３５ｂが設けられる。この第１の側壁３５ａ、３５ｂは、前端側が前方に突出するように円弧状に形成される。また、第１の側壁３５ａ、３５ｂの外側には、第１の側壁３５ａ、３５ｂより低い高さの第２の側壁３６ａ、３６ｂが設けられる。この第２の側壁３６ａ、３６ｂは、第１の側壁３５ａ、３５ｂと同様に前端側が前方に突出するように円弧状に形成される。第２の側壁３６ａ、３６ｂは、二重構造で、前端側に溝３７が形成される。
【００２３】
一方、ケースカバー３３は、側面３８及び前面３９がケース本体３２の第１の側壁３５ａ、３５ｂ及び第２の側壁３６ａ、３６ｂの形状に対応して円弧状に形成され、閉じた際に側面３８がケース本体３２の第１の側壁３５ａ、３５ｂの外側に位置し、側面３８の前端が第２の側壁３６ａ、３６ｂと係合して防水作用を持つように構成される。
【００２４】
また、ケース本体３２は、天板４１及び底板４２を備えると共に、ほぼ中央部分に中仕切り板４３を備え、この中仕切り板４３によって内部を上下に仕切り、上部に内部ユニット室４４、下部に接栓接続室４５を形成している。
【００２５】
上記内部ユニット室４４には、例えば混合器あるいは分配・分波器等を構成する内部ユニット４６が収納される。また、接栓接続室４５には、中仕切り板４３の上側より複数例えば３つの入出力用接栓４７ａ〜４７ｃが装着され、そのネジ部が中仕切り板４３に設けられた穴より接栓接続室４５内に挿入される。上記入出力用接栓４７ａ〜４７ｃは、上記内部ユニット４６に接続される。この場合、入出力用接栓４７ａ〜４７ｃの外部導体は、中仕切り板４３、すなわちケース本体３２に接続され接地される。
【００２６】
また、ケース本体３２の底板４２には、ケーブル挿通用の溝４８ａ〜４８ｃが設けられると共に、下面の後端近傍にケースカバー３３を係止するための係止溝５０ａ、５０ｂが設けられる。上記ケーブル挿通用の溝４８ａ〜４８ｃは、底板４２の前端側が開口しており、この開口部から同軸ケーブル５１ａ〜５１ｃを溝内に挿入できるようになっている。
【００２７】
上記同軸ケーブル５１ａ〜５１ｃの先端には接栓５２ａ〜５２ｃが設けられており、この接栓５２ａ〜５２ｃが接栓接続室４５に設けられた入出力用接栓４７ａ〜４７ｃに装着される。
【００２８】
また、ケースカバー３３は、下側部に底板５３を備え、この底板５３にケーブル挿通用の溝５４ａ〜５４ｃが設けられる。このケーブル挿通用の溝５４ａ〜５４ｃは、底板５３の前端が開口しており、ケースカバー３３を閉じた際に上記開口部から同軸ケーブル５１ａ〜５１ｃが溝内に挿入されるようになっている。すなわち、ケースカバー３３を閉じた際にカバー側の底板５３がケース本体３２側の底板４２より下側に位置し、同軸ケーブル５１ａ〜５１ｃが溝５４ａ〜５４ｃ内に挿入される。また、底板５３の前端内側には、係止爪（図示せず）が設けられる。この係止爪は、ケース本体３２側の底板４２に設けた係止溝５０ａ、５０ｂに対応する位置に設けられ、ケースカバー３３を閉じたときに係止溝５０ａ、５０ｂに係止されてケースカバー３３を閉じた状態に保持する。
【００２９】
そして、上記機器ケース３１の内部、すなわちケース本体３２側の底板４２の上部及びケースカバー３３側の底板５３の上部に軟質系材料を用いた防水機能部品５５ａ、５５ｂを接着剤等により固着する。
【００３０】
図３（ａ）は、防水機能部品５５ａ、５５ｂとして例えば発泡ポリウレタン、発泡ポリエチレン、発泡ゴム等の特殊発泡体を用いた場合の構成例を示したものである。ケース本体３２側に設けられる防水機能部品５５ａは、ケース本体３２側の底板４２とほぼ同じ長さの台形状に形成され、前面にテーパ面５６ａが設けられる。この場合、防水機能部品５５ａは、上側の幅が狭く、下側の幅が広く形成され、テーパ面５６ａが約４５°の角度で斜め上方を向くように設けられる。防水機能部品５５ａのテーパ面５６ａには、上記ケース本体３２の底板４２に設けた溝４８ａ〜４８ｃに対応する位置に例えば星形のケーブル挿通孔５７ａ〜５７ｃが設けられる。このケーブル挿通孔５７ａ〜５７ｃは、同軸ケーブル５１ａ〜５１ｃの直径より小さく形成される。また、ケーブル挿通孔５７ａ〜５７ｃは、溝５８ａ〜５８ｃによって開口しており、同軸ケーブル５１ａ〜５１ｃが溝５８ａ〜５８ｃ内を通ってケーブル挿通孔５７ａ〜５７ｃ内に挿入されるようになっている。
【００３１】
一方、ケースカバー３３側に設けられる防水機能部品５５ｂは、ケース本体３２側の防水機能部品５５ａと同様にテーパ面５６ｂ、星形のケーブル挿通孔５９ａ〜５９ｃ、該ケーブル挿通孔５９ａ〜５９ｃに連通する溝６０ａ〜６０ｃを備えている。この場合、ケースカバー３３側のテーパ面５６ｂは約４５°の角度で斜め下方を向くように形成する。すなわち、ケースカバー３３を閉じた際にケースカバー３３側に設けられた防水機能部品５５ｂのテーパ面５６ｂがケース本体３２側に設けられた防水機能部品５５ａのテーパ面５６ａに当接して防水作用を持つように構成する。
【００３２】
そして、上記ケース本体３２の背面には、マスト取付金具６１が装着され、例えばアンテナ支柱６２等に取付けられるようになっている。
【００３３】
なお、上記図３（ａ）では、防水機能部品５５ａ、５５ｂとして発泡ポリウレタン、発泡ポリエチレン、発泡ゴム等の特殊発泡体を用いた場合について示したが、図３（ｂ）、（ｃ）に示すようにその他の軟質系材料を用いて構成することも可能である。
【００３４】
図３（ｂ）は、防水機能部品５５ａ、５５ｂとして例えば高分子ゲルやポリマー等を用いた場合の例を示したもので、ケーブル挿通孔５７ａ〜５７ｃ、５９ａ〜５９ｃを円状に形成し、溝５８ａ〜５８ｃ、６０ａ〜６０ｃを設けている。高分子ゲルやポリマーは、発泡ポリウレタンや発泡ポリエチレン等の特殊発泡体を用いた場合より弾性力が大きいので、ケーブル挿通孔５７ａ〜５７ｃ、５９ａ〜５９ｃを円状に形成しても、同軸ケーブル５１ａ〜５１ｃのサイズ（径）が異なる場合であっても容易に対応することができる。
【００３５】
図３（ｃ）は、防水機能部品５５ａ、５５ｂとして例えばポリプロピレンやモヘア等のブラシ状繊維を用いたもので、ケーブル挿通孔は設けていない。防水機能部品５５ａ、５５ｂとしてブラシ状繊維を用いた場合、同軸ケーブル５１ａ〜５１ｃはブラシ状繊維内を任意に挿通させることが可能であるので、特にケーブル挿通孔を設ける必要はない。
【００３６】
上記の構成において、電子機器に同軸ケーブル５１ａ〜５１ｃを接続する場合、ケースカバー３３を開いた状態で、同軸ケーブル５１ａ〜５１ｃの上端近傍をケース本体３２の底板４２上に設けた防水機能部品５５ａのケーブル挿通孔５７ａ〜５７ｃ内に挿入しながらケーブル先端の接栓５２ａ〜５２ｃを接栓接続室４５内に挿入し、ケース本体３２側の入出力用接栓４７ａ〜４７ｃに螺着する。
【００３７】
その後、ケースカバー３３を閉じ、カバー側の底板５３をケース本体３２側の底板４２の下側に位置させる。このとき底板５３の前端内側に設けた係止爪がケース本体３２側の底板４２に設けた係止溝５０ａ、５０ｂに係止されてケースカバー３３を閉じた状態に保持する。
【００３８】
また、上記ケースカバー３３を閉じた際、ケースカバー３３側の防水機能部品５５ｂに設けたケーブル挿通孔５９ａ〜５９ｃ内に同軸ケーブル５１ａ〜５１ｃが挿入されると共に、カバー側防水機能部品５５ｂに設けたテーパ面５６ｂがケース本体３２側に設けた防水機能部品５５ａのテーパ面５６ａに当接する。
【００３９】
上記防水機能部品５５ａ、５５ｂは、軟質系材料を用いて形成しているので、防水機能部品５５ａ側のケーブル挿通孔５７ａ〜５７ｃ、及び防水機能部品５５ｂ側のケーブル挿通孔５９ａ〜５９ｃが同軸ケーブル５１ａ〜５１ｃに密着すると共に、防水機能部品５５ａ、５５ｂのテーパ面５６ａ、５６ｂも密着し、防水作用を持つようになる。
【００４０】
上記実施形態によれば、ケース本体３２及びケースカバー３３内の下側に軟質系材料を用いた防水機能部品５５ａ、５５ｂを装着することにより、ケースの開閉機能を維持したまま同軸ケーブル５１ａ〜５１ｃに対する防水機能を持たせることができ、電子機器の設置時に防水用キャップ等の防水用部品や自己融着テープなどを用いて防水処理を行う必要がなく高い作業性が得られる。
【００４１】
また、防水機能部品５５ａ、５５ｂは、軟質系材料を用いて構成しているので、ケーブル挿通孔５７ａ〜５７ｃ、５９ａ〜５９ｃ等を加工することなく、各種サイズの同軸ケーブル５１ａ〜５１ｃに対応することができる。
【００４２】
また、機器ケース自体に防水機能を持たせているので、防水用キャップや自己融着テープなどが外部に露出する恐れは全くなく、美観上においても優れている。
【００４３】
なお、上記実施形態では、３つの入出力用接栓４７ａ〜４７ｃを備えた電子機器に実施した場合について示したが、更に多数の入出力用接栓を備えた電子機器においても同様にして実施し得るものである。
【００４４】
また、上記実施形態では、混合器あるいは分配・分波器等の電子機器に実施した場合について説明したが、その他、例えばブースタ単体、あるいは混合器や分配・分波器等とブースタを組み合わせた電子機器においても、同様にして実施し得るものである。
【００４５】
また、本発明は、上記実施形態そのままに限定されるものではなく、実施段階ではその要旨を逸脱しない範囲で構成要素を変形して具体化できるものである。
【図面の簡単な説明】
【００４６】
【図１】本発明の一実施形態に係る電子機器ケースの防水構造を示し、（ａ）はケースカバーを開いた状態を示す斜視図、（ｂ）は電子機器に同軸ケーブルを装着した状態を示す斜視図、（ｃ）は同軸ケーブルを装着した後、ケースカバーを閉じた状態を示す斜視図である。
【図２】同実施形態に係る電子機器の要部を断面して示す斜視図である。
【図３】同実施形態における防水機能部品の構成例を示し、（ａ）は特殊発泡体を用いた防水機能部品の斜視図、（ｂ）は高分子ゲルやポリマーを用いた防水機能部品の斜視図、（ｃ）はブラシ状繊維を用いた防水機能部品の斜視図である。
【図４】防水用キャップを用いて配線ケーブル部に防水処理を施す場合の従来の電子機器の構成を示す斜視図である。
【図５】自己融着テープを用いて配線ケーブル部に防水処理を施す場合の従来の電子機器の構成を示す斜視図である。
【符号の説明】
【００４７】
３１…機器ケース、３２…ケース本体、３３…ケースカバー、３４…ヒンジ、３５ａ、３５ｂ…第１の側壁、３６ａ、３６ｂ…第２の側壁、３７…溝、３８…側面、３９…前面、４１…天板、４２…底板、４３…中仕切り板、４４…内部ユニット室、４５…接栓接続室、４６…内部ユニット、４７ａ〜４７ｃ…入出力用接栓、４８ａ〜４８ｃ…溝、５０ａ、５０ｂ…係止溝、５１ａ〜５１ｃ…同軸ケーブル、５２ａ〜５２ｃ…接栓、５３…底板、５４ａ〜５４ｃ…溝、５５ａ…ケース本体側防水機能部品、５５ｂ…ケースカバー側防水機能部品、５６ａ、５６ｂ…テーパ面、５７ａ〜５７ｃ…ケーブル挿通孔、５８ａ〜５８ｃ…溝、５９ａ〜５９ｃ…ケーブル挿通孔、６０ａ〜６０ｃ…溝、６１…マスト取付金具、６２…アンテナ支柱。
【図１】
2010114303.tif 000003
【図２】
2010114303.tif 000004
【図３】
2010114303.tif 000005
【図４】
2010114303.tif 000006
【図５】
2010114303.tif 000007